(57)【特許請求の範囲】
【請求項１】
縦形ポンプ用の合成樹脂シリンダにおいて、
シリンダ胴部２の上部外面へ、該胴部外径とほぼ同一内径で下端面開口の合成樹脂製補強外筒11上端部を水密に嵌合させ、
該補強外筒11の上端部を除く部分内面へ縦溝13を補強外筒下端面へ開溝させて縦設し、該縦溝とシリンダ胴部に穿設された透孔とを連通させ、
上記補強外筒11に、上記シリンダ装着用の容器体口頸部上端面への係合用第１外向きフランジ12を付設し、
シリンダ上端部を下向き段部３を介して大外径部４とすると共に、下向き段部３下面へ第１外向きフランジ12付き補強外筒11の上端面を係合させ、又環状頂部22の内外両周縁から内外両筒23,24 を垂下すると共に、外筒24下端から第２外向きフランジ25を介して更に上記シリンダ装着用容器体の口頸部外面へ螺合させるキャップ状筒26を垂下する、ステム抜止め兼用のキャップ状部材21を設けて、上記内筒23をシリンダ１の上部内面へ、かつ外筒24を補強外筒11外面へ、それぞれ嵌合させ、更に上記第１外向きフランジ12上面へ第２外向きフランジ25を重ねたことを特徴とする縦形ポンプ用シリンダ。
【請求項２】
縦形ポンプ用の合成樹脂シリンダにおいて、
シリンダ胴部２の上部外面へ、該胴部外径とほぼ同一内径で下端面開口の合成樹脂製補強外筒11上端部を水密に嵌合させ、
該補強外筒11の上端部を除く部分内面へ縦溝13を補強外筒下端面へ開溝させて縦設し、該縦溝とシリンダ胴部に穿設された透孔とを連通させ、
上記補強外筒11に、上記シリンダ装着用の容器体口頸部上端面への係合用第１外向きフランジ12を付設し、
シリンダ上部を下向き段部３を介して大外径部４とすると共に下向き段部３下面へ、第１外向きフランジ12付きの補強外筒11の上端面を係合させ、又環状頂部22の内外両周縁から内外両筒を垂下するステム抜止め筒21aを設けて、該筒の内筒23をシリンダ１の上部内面へ、かつ外筒24を第１外向きフランジ12上方の補強外筒部分外面へ、それぞれ嵌合させ、更に上記外筒24下端に第２外向きフランジ25を付設して、該第２外向きフランジ25と上記第１外向きフランジ12との間隙内へ、容器体口頸部外面への螺合用キャップ状部材21b が周壁上端に有する内向きフランジ32を、回動可能に嵌合させたことを特徴とする縦形ポンプ用シリンダ。
【請求項３】
縦形ポンプ用の合成樹脂シリンダにおいて、
シリンダ胴部２の上部外面へ、該胴部外径とほぼ同一内径で下端面開口の合成樹脂製補強外筒11上端部を水密に嵌合させ、
該補強外筒11の上端部を除く部分内面へ縦溝13を補強外筒下端面へ開溝させて縦設し、該縦溝とシリンダ胴部に穿設された透孔とを連通させ、
上記補強外筒11に、上記シリンダ装着用の容器体口頸部上端面への係合用第１外向きフランジ12を付設し、
シリンダ上部を下向き段部３を介して大外径部４とすると共に下向き段部３下面へ、上記補強外筒11上端に付設した第１外向きフランジ12の内周部上面を係合させ、又環状頂部22の内外から内外両筒23,24 を垂下するステム抜止め筒21a を設けて、該筒の内筒23をシリンダ１の上部内面へ、かつ外筒24を上記大径筒部４の外面へ、それぞれ嵌合させ、更に上記第１外向きフランジ12と上記外筒24の下面ないし該外筒に付設した第２外向きフランジ25との間隙内へ、容器体口頸部外面への螺合用キャップ状部材21b が周壁上端に有する内向きフランジ32を、回動可能に嵌合させたことを特徴とする縦形ポンプ用シリンダ。
【発明の詳細な説明】
【０００１】
【発明の属する技術分野】
本発明は縦形ポンプ用のシリンダに関する。
【０００２】
【従来の技術】
例えば実開平10-34033号が示すように、縦形ポンプ式液体噴出器の合成樹脂製シリンダは、胴部の上方に外向きフランジを付設して該外向きフランジ上面へ容器体口頸部螺合用のキャップ状部材上端に付設した内向きフランジを係合させると共に、シリンダ上部に、環状頂部の内外から内外二重筒を垂下させたステム抜止め筒を、その内筒はシリンダの上部内面へ、外筒はシリンダ上部外面へそれぞれ嵌合させて設けている。
【０００３】
【発明が解決しようとする課題】
上記シリンダ内からは、下端に付設した筒状ピストンをシリンダ内へ嵌合させてその筒状ピストンから起立させたステムをシリンダ上方へ立設させ、該ステム上端にノズル付きの押下げヘッドを嵌合させるが、上記シリンダの下部内へ吸込み弁を設けて押下げヘッドを介してピストン付きステムを押下げすることでのシリンダ内液体の高圧化で、該高圧液体をステム途中等に設けた吐出弁を介してノズルから噴出するから、上記シリンダは或る程度の耐圧性が要求される。
【０００４】
このためシリンダを或る程度厚肉とすることでその耐圧性を高めるが、合成樹脂製シリンダの場合は厚肉化によってシリンダ内面にいわゆるヒケが生じてその凹凸によりシリンダ内面と筒状ピストン外面とのシール性が損なわれ易く、又シリンダの厚肉化によって冷却に時間を要する等の理由で成形サイクルが低下するものであった。
【０００５】
本発明は上記シリンダ外面へ合成樹脂製補強外筒を嵌合させることで、シリンダ胴部を肉薄としても、シリンダ胴部と補強外筒とでシリンダが必要とする耐圧性等の強度を保つことが可能とすることを主たる目的とする。併せてシリンダに対するキャップ状部材およびステム抜止め筒の取付けが便利であるよう設けた。
【０００６】
【課題を解決するための手段】
第１の手段として縦形ポンプ用の合成樹脂シリンダにおいて、
シリンダ胴部２の外面へ、該胴部外径とほぼ同一内径で中空筒状の合成樹脂製補強外筒11を緊密に嵌合させた。
【０００７】
第２の手段として上記第１の手段を有すると共に補強外筒11の上部を除く部分内面へ縦溝13を補強外筒下端面へ開溝させて縦設し、上記補強外筒上部をシリンダ胴部の上部外面へ水密に嵌合させると共に、シリンダ胴部に穿設された透孔と上記縦溝13とを連通させた。
【０００８】
第３の手段として、上記第１又は第２の手段を有すると共に上記補強外筒11に、上記シリンダ装着用の容器体口頸部上端面への係合用第１外向きフランジ12を付設した。
【０００９】
第４の手段として、上記第１、第２又は第３の手段を有すると共にシリンダ上端部を下向き段部３を介して大外径部４とすると共に、下向き段部３下面へ第１外向きフランジ12付き補強外筒11の上端面を係合させ、
又環状頂部22の内外両周縁から内外両筒23,24 を垂下すると共に、外筒24下端から第２外向きフランジ25を介して更に上記シリンダ装着用容器体の口頸部外面へ螺合させるキャップ状筒26を垂下する、ステム抜止め兼用のキャップ状部材21を設けて、上記内筒23をシリンダ１の上部内面へ、かつ外筒24を補強外筒11外面へ、それぞれ嵌合させ、更に上記第１外向きフランジ12上面へ第２外向きフランジ25を重ねた。
【００１０】
第５の手段として、上記第１、第２又は第３の手段を有すると共にシリンダ上部を下向き段部３を介して大外径部４とすると共に下向き段部３下面へ、第１外向きフランジ12付きの補強外筒11の上端面を係合させ、
又環状頂部22の内外両周縁から内外両筒を垂下するステム抜止め筒21a を設けて、該筒の内筒23をシリンダ１の上部内面へ、かつ外筒24を第１外向きフランジ12上方の補強外筒部分外面へ、それぞれ嵌合させ、
更に上記外筒24下端に第２外向きフランジ25を付設して、該第２外向きフランジ25と上記第１外向きフランジ12との間隙内へ、容器体口頸部外面への螺合用キャップ状部材21b が周壁上端に有する内向きフランジ32を、回動可能に嵌合させた。
【００１１】
第６の手段として、上記第１、第２、又は第３の手段を有すると共にシリンダ上部を下向き段部３を介して大外径部４とすると共に下向き段部３下面へ、上記補強外筒11上端に付設した第１外向きフランジ12の内周部上面を係合させ、
又環状頂部22の内外から内外両筒23,24 を垂下するステム抜止め筒21a を設けて、該筒の内筒23をシリンダ１の上部内面へ、かつ外筒24を上記大径筒部４の外面へ、それぞれ嵌合させ、
更に上記第１外向きフランジ12と上記外筒24の下面ないし該外筒に付設した第２外向きフランジ25との間隙内へ、容器体口頸部外面への螺合用キャップ状部材21b が周壁上端に有する内向きフランジ32を、回動可能に嵌合させた。
【００１２】
【発明の実施の形態】
まず図１が示す第１実施形態について説明すると、１は合成樹脂製のシリンダでシリンダ胴部２の下部は小径部に、かつ中間部および上部を大径部とし、更に胴部２の上端は下向き段部３を介して大外径部４としている。該シリンダは底部内に吸込み弁５を有し、かつその吸込み弁孔に連通させてシリンダ下端からパイプ嵌合筒６を垂下し、該嵌合筒内へ吸上げパイプ７上端部を嵌合させている。尚シリンダ胴部の上部には外気吸入孔８を穿設している。
【００１３】
11は合成樹脂製の補強外筒で、上記シリンダ胴部２の外面へ嵌合させている。該補強外筒は胴部２外径とほぼ同内径とし、筒上端を上記下向き段部３下面へ係合させ、又下部外面に第１外向きフランジ12を付設している。筒上端部はシリンダ胴部の上部外面へ水密に嵌合させており、かつ該上端部よりも下方筒部分内面には縦溝13を筒下端面まで開溝させて縦設し、該縦溝を既述シリンダの外気吸入孔８に連通させている。尚図示例では筒下部をシリンダ胴部外径よりも僅かに大内径としている。
【００１４】
21は上記シリンダを保持させる、ステム抜止め兼用キャップ状部材であり、環状頂部22の内外両周縁から内外両筒23,24 を垂下し、その外筒下端からは第２外向きフランジ25を介して容器体口頸部外面へ螺合させるキャップ状筒26を垂下し、内筒23はシリンダ１の上部内面へ嵌合させると共に外筒24を補強外筒11の外面へ嵌合させ、第２外向きフランジ25は第１外向きフランジ12上面へ載置させている。図示例にあっては後述支持板27との連結部分を長くするために環状頂部22を下外方へ下降するテーパ状とするが、支持板を設けない場合は図３のようにほぼ水平とする。
【００１５】
該ステム抜止め兼用キャップ状部材21は、図示のようにトリガー式ポンプ用の部材として形成してもよく、又通常の縦形ポンプ用部材としてもよい。
【００１６】
トリガー式ポンプ用部材とする場合は、図示のように外筒24および第２外向きフランジ25の後部から上後方へ支持板27を突出しておき、又逆Ｌ字形状に設けた吐出管部材28の垂直部が形成するステム29下端の筒状ピストン30をシリンダ１内へスプリングにより上方付勢させて嵌合させて水平状部が形成する射出筒31を前方へ突出させて設け、更に逆Ｌ字状に設けたトリガー部材41の水平状部を左右二重板としてその二重水平状板42,42 間に上記射出筒31および支持板27上部を嵌合させて二重水平状板後部と支持板27上部とを枢着43させ、ステム29上部の左右両面から突設したピン44,44 を左右水平状板42,42 に枢止させて、二重水平状板の前部下面から下前方へトリガー45を突出する。
【００１７】
縦形ポンプ用部材とする場合は、上記支持板27を設けず、又図３が示すようにステム29上端にノズル付きの押下げヘッド51を嵌合させればよい。
【００１８】
上記ステム抜止め兼用キャップ状部材は、第２実施形態を示す図２、又第３実施形態を示す図３のように、ステム抜止め筒21a とキャップ状部材21b との二部材で形成することも出来る。
【００１９】
図２のステム抜止め筒21a は既述抜止め兼用キャップ状部材21が有するキャップ状筒26を除去した形状であり、又キャップ状部材21b は上記切離されたキャップ状筒上端に内向きフランジ32を付設した形状である。補強外筒11が有する第１外向きフランジ12とステム抜止め筒21a が有する第２外向きフランジ25との間には間隙を設けて該間隙内へキャップ状部材21b が有する内向きフランジ32を回動自在に嵌合させている。その他部分は第１実施形態の場合と同じであり、よって同一符号を付することで説明を省略する。
【００２０】
図３のステム抜止め筒21a は、下向き段部３上方のシリンダ上部をやや長く設けて、その下向き段部上方のシリンダ部分外面へ環状頂部22から垂下させた外筒24を上方抜出し不能に嵌合させており、又キャップ状部材21b は図２の場合と同様にキャップ状筒上端に内向きフランジ32を付設した形状としている。該キャップ状部材は、補強外筒11上端に付設した第１外向きフランジ12上へ内向きフランジ32を載置させ、又その内向きフランジ32の内周部上面へ上記ステム抜止め筒21a の外筒24下端面をキャップ状部材の回動が可能に係合させている。尚図３のステム抜止め筒21a は環状頂部22の頂板を外方へ延長させて第２外向きフランジ25とし、かつその延長部外周から短筒33を垂下させている。
【００２１】
図１と図２実施形態の場合は、トリガー引寄せ操作でシリンダ内液体が高圧化してステム29、射出筒31を通って該射出筒前端に嵌合させたノズルキャップ46が有するノズル孔47から液体が噴出し、又図３実施形態の場合は押下げヘッド51押下げによりステム29およびノズル52内を通って液体を噴出する。
【００２２】
【発明の効果】
本発明は、シリンダ胴部を補強外筒11が補強するからシリンダ胴部を肉薄としても差支えなく、又シリンダ胴部を肉薄とすることが出来るから、その胴部を厚肉とした場合のようにその胴部にヒケによる凹凸が生ずることなく、よって筒状ピストンとのシール性が低下しない。
【００２３】
また、本発明は、シリンダに穿設した外気吸入孔８等の透孔を容器体内へ連通させることが出来る。
【００２４】
さらに、本発明は、口頸部の径を異にする複数容器体に対してそれぞれの容器体口頸部に対応する径の第１外向きフランジを有する補強外筒を嵌合させたシリンダを装着させることが出来、よって補強外筒を変えるだけで同一大きさのシリンダを口頸部内径を異にする複数容器体に用いることが出来る便利があると共に、補強外筒付きシリンダを容器体へ装着させることが容易となる。
【図面の簡単な説明】
【図１】  本発明シリンダを有する液体噴出器の縦断面図である。
【図２】  実施形態を異にして示す、上記シリンダ付き液体噴出器の縦断面図である。
【図３】  更に実施形態を異にして示す、上記シリンダ付き液体噴出器の縦断面図である。
【符号の説明】
１  …シリンダ                ３  …下向き段部
11  …補強外筒                21  …ステム抜止め兼用キャップ状部材
21a …ステム抜止め筒          21b …キャップ状部材
22  …環状頂部
【図１】
0003949355.tif 000002
【図２】
0003949355.tif 000003
【図３】
0003949355.tif 000004